(57)【特許請求の範囲】
【請求項１】
糊代片、天面、前面、底面、後面がこの順に折れ線を介して一列に連設され、前記前面と前記後面のそれぞれの両側に折れ線を介して側外面、側内面が連設され、前記天面と前記底面のそれぞれの両側に折れ線を介して側フラップが連設されたカートンブランクの前記糊代片と前記後面の上部裏面とを接着して得られた筒状体の両開放端部の前記側フラップ、前記側内面、前記側外面を折り畳んで形成してなるカートン本体と、折り返し片、開封面、天面、糊代片がこの順に折れ線を介して一列に連設された蓋部とから構成され、前記蓋部の前記折り返し片を前記開封面裏面に折り返し、該開封面を前記カートン本体の前記前面上部に接着し、また前記蓋部の前記天面を前記カートン本体の前記天面に接着し、さらに前記蓋部の前記糊代片を前記カートン本体の前記後面の上縁に接着してなり、
前記カートン本体の前記天面と前記前面とにまたがって切り取り線により開口部を設け、また前記蓋部の前記天面と前記開封面とにまたがって切り取り線により開口部を設け、前記蓋部の開口部を開封すると同時に前記カートン本体の開口部が開封される密封カートンであって、
前記蓋部の前記開口部の前記切り取り線が、前記蓋部を前記カートン本体に接着した時に、前記カートン本体の前記開口部の前記切り取り線の外側に位置し、前記蓋部の前記天面と前記カートン本体の前記天面との接着を、前記カートン本体の前記開口部の前記天面における二本の前記切り取り線より内側、および前記蓋部の前記開口部の前記天面における両方の前記切り取り線より外側の部分で行ない、また、前記蓋部の前記開封面と前記カートン本体の前記前面との接着を、前記カートン本体の前記開口部の前記前板における前記切り取り線より内側、および前記蓋部の前記開口部の前記開封面における前記切り取り線より外側の部分で、行ない、前記カートン本体の前記前面の前記切り取り線と前記蓋部の前記開封面の前記切り取り線の間の領域を、界面剥離の可能な仮着状態としたことを特徴とする易開封密封カートン。
【請求項２】
前記カートン本体の前記天面の前記切り取り線が、２重のＩ字形の切り取り線からなっていることを特徴とする請求項１に記載の易開封密封カートン。
【請求項３】
前記蓋部の前記天面の前記切り取り線が、直線部とその直線部の一方の端部から直線的に延びる２本の斜線部とからなるＹ字形の切り取り線からなっていることを特徴とする請求項１に記載の易開封密封カートン。
【請求項４】
前記蓋部の前記開封面の前記開口部の先端に摘まみ片を設け、前記カートン本体の前記前面の前記摘まみ片が重なる位置に凹部を設け、再封時に前記摘まみ片が前記前面と前記折り返し片との間に差し込み易くしたことを特徴とする請求項１に記載の易開封密封カートン。
【発明の詳細な説明】
【０００１】
【産業上の利用分野】
本発明は、粉末あるいは粒状物などの内容物を収納し、密封性があり、かつ易開封性を有する易開封密封カートンに関する。
【０００２】
【従来の技術】
従来より、粉末あるいは粒状物などの内容物を収納する密封カートンは、内容物が湿気を嫌う物が多く、カートンの開封前の密封性が良いこと、内容物の飛散防止機能を有していること、開封が容易に行えること、開封後のリクローズ性があること、そして低コストであることなどが必要であった。
種々の形態があり、その例としては、図８（ａ）に示すように、胴部の開口端部をシール性を持たせたグラシン紙等でトップシールして防湿性と内容物の飛散防止性を与え、全開できるヒンジ付きの被せ蓋を取り付けた密封カートンを挙げることができる。また、別の実用例として図８（ｂ）に示すように、２重の胴部の外壁パネルのみを帯状の引き裂き片を水平に引き裂いて取り除くことにより、胴部と被せ蓋に分離し、直ちに中身を取り出せるようにした密封カートンを挙げることができる。
【０００３】
【発明が解決しようとする課題】
しかしながら、従来のカートンの形状では、開封手段が複雑であり、老人やハンディキャップのある人には開封しにくいという問題がある。また、易開封性と密封性とを両立させるために、構造的に複雑となり、包装資材の使用量が増加してコストが高くなるという問題もある。
【０００４】
【課題を解決するための手段】
上記課題を解決するためになされた本発明は、糊代片、天面、前面、底面、後面がこの順に折れ線を介して一列に連設され、前記前面と前記後面のそれぞれの両側に折れ線を介して側外面、側内面が連設され、前記天面と前記底面のそれぞれの両側に折れ線を介して側フラップが連設されたカートンブランクの前記糊代片と前記後面の上部裏面とを接着して得られた筒状体の両開放端部の前記側フラップ、前記側内面、前記側外面を折り畳んで形成してなるカートン本体と、折り返し片、開封面、天面、糊代片がこの順に折れ線を介して一列に連設された蓋部とから構成されてなる密封カートンであって、前記蓋部の前記折り返し片を前記開封面裏面に折り返し、該開封面を前記カートン本体の前記前面上部に接着し、また前記蓋部の前記天面を前記カートン本体の前記天面に接着し、さらに前記蓋部の前記糊代片を前記カートン本体の前記後面の上縁に接着してなることを特徴とする易開封密封カートンである。
【０００５】
【課題を解決するための手段】
上記課題を解決するためになされた本発明は、糊代片、天面、前面、底面、後面がこの順に折れ線を介して一列に連設され、前記前面と前記後面のそれぞれの両側に折れ線を介して側外面、側内面が連設され、前記天面と前記底面のそれぞれの両側に折れ線を介して側フラップが連設されたカートンブランクの前記糊代片と前記後面の上部裏面とを接着して得られた筒状体の両開放端部の前記側フラップ、前記側内面、前記側外面を折り畳んで形成してなるカートン本体と、折り返し片、開封面、天面、糊代片がこの順に折れ線を介して一列に連設された蓋体とから構成されてなる密封カートンであって、前記蓋体の前記折り返し片を前記開封面裏面に折り返し、該開封面を前記カートン本体の前記前面上部に接着し、また前記蓋体の前記天面を前記カートン本体の前記天面に接着し、さらに前記蓋体の前記糊代片を前記カートン本体の前記後面の上縁に接着してなることを特徴とする易開封密封カートンである。
【０００６】
また、前記カートン本体の前記天面と前記前面とにまたがって切り取り線により開口部を設け、また前記蓋部の前記天面と前記開封面とにまたがって切り取り線により開口部を設け、前記蓋部の開口部を開封すると同時に前記カートン本体の開口部が開封されることを特徴とし、前記カートン本体の前記天面の前記切り取り線が、２重のＩ字形の切り取り線からなっており、前記蓋部の前記天面の前記切り取り線が、直線部とその直線部の一方の端部から直線的に延びる２本の斜線部とからなるＹ字形の切り取り線からなっていることを特徴とする。
【０００７】
また、前記蓋部の前記開口部の前記切り取り線が、前記蓋部を前記カートン本体に接着した時に、前記カートン本体の前記開口部の前記切り取り線の外側に位置することを特徴とし、前記蓋部の前記天面と前記カートン本体の前記天面との接着を、前記カートン本体の前記開口部の前記天面における二本の前記切り取り線より内側、および前記蓋部の前記開口部の前記天面における両方の前記切り取り線より外側の部分で行ない、また、前記蓋部の前記開封面と前記カートン本体の前記前面との接着を、前記カートン本体の前記開口部の前記前板における前記切り取り線より内側、および前記蓋部の前記開口部の前記開封面における前記切り取り線より外側の部分で、行ない、前記カートン本体の前記前面の前記切り取り線と前記蓋部の前記開封面の前記切り取り線の間の領域を、界面剥離の可能な仮着状態としたことを特徴とする。
【０００８】
さらに、前記蓋部の前記開封面の前記開口部の先端に摘まみ片を設け、前記カートン本体の前記前面の前記摘まみ片が重なる位置に凹部を設け、再封時に前記摘まみ片が前記前面と前記折り返し片との間に差し込み易くしたことを特徴とする。
【０００９】
本発明によれば、簡単な操作で容易に開封ができ、内容物に対する密封性も良く、容易に再封もでき、しかも必要最小量の板紙を使用することにより形成することができる易開封密封カートンを得ることが出来る。
【００１０】
【発明の実施の形態】
以下、本発明を図面を用いてさらに詳しく説明する。
図１に示すように、本発明による易開封密封カートン１はカートン本体２と蓋部３とから構成されている。
【００１１】
図２は本発明による易開封密封カートン１の蓋部３のブランク展開図である。図２に示すように、蓋部ブランク１０は、折り返し片１１、開封面１２、天面１３、糊代片１４がこの順に折れ線ａ、ｂ、ｃを介して一列に連設されている。
【００１２】
また、天面１３と開封面１２とにまたがって切り取り線Ａ〜Ｂ〜Ａ´によって開口部Ｘが設けられている。
【００１３】
天面１３における切り取り線Ａ、Ａ´は、開口部Ｘを広くし、内容物を取り出し易いように天面１３の両端辺の近傍にほぼ平行に設けられる。切り取り線Ａ、Ａ´の形状は、直線部とその直線部の一方の端部から直線的に延びる２本の斜線部とからなるＹ字形の切り取り線とする。このＹ字形の切り取り線にすることによって、切り取りが確実かつ容易となる。
【００１４】
開封面１２における切り取り線Ｂは略台形あるいは略円弧形に設けられ、先端部は開封面１２と折り返し片１１との折れ線ａに接して、図に示すような摘まみ片Ｃを形成する。切り取り線Ｂの形状は、一般的なＬ字形の切り取り線とする。摘まみ片Ｃの周囲は摘まみ易いように、切れ線とする。
【００１５】
図３は本発明による易開封密封カートン１のカートン本体２のブランク展開図である。図３に示すように、カートン本体２のブランク２０は、糊代片２１、天面２２、前面２３、底面２４、後面２５がこの順に折れ線ｄ、ｅ、ｆ、ｇを介して一列に連設され、前面２３と後面２５のそれぞれの両側に折れ線ｉ、ｉ´、ｋ、ｋ´を介して側外面２７、２７´、側内面２９、２９´が連設され、天面２２と底面２４のそれぞれの両側に折れ線ｈ、ｈ´、ｊ、ｊ´を介して側フラップ２６、２６´、２８、２８´が連設されている。
【００１６】
また、天面２２と前面２３とにまたがって切り取り線Ｄ〜Ｅ〜Ｄ´によって開口部Ｙが設けられている。このカートン本体２に設ける開口部Ｙは、蓋部３をカートン本体２に接着した時に、蓋部３の開口部Ｘとは同一の大きさではなく、全体をやや小さく設定することが好ましい。その大きさの差の幅は１〜１０ｍｍの範囲とする。蓋部３に設ける開口部Ｘの切り取り線Ａ〜Ｂ〜Ａ´とカートン本体２の開口部Ｙの切り取り線Ｄ〜Ｅ〜Ｄ´とをずらすことによって、内容物である粉体が切り取り線を通って漏れることを防ぐことになる。
【００１７】
天面２２では、切り取り線Ｄ、Ｄ´が、天面２２と側フラップ２６、２６´の折れ線ｈ、ｈ´の近傍にほぼ平行に設けられる。切り取り線Ｄ、Ｄ´の形状は、近接した２本のＩ字形の切り取り線とする。この２重のＩ字形の切り取り線にすることによって、切り取りが容易となる。
【００１８】
前面２３では、切り取り線Ｅが前面２３の上端部に略台形あるいは略円弧形に設けられる。切り取り線Ｅの形状は、２重のＩ字形の切り取り線でも一般的なＩ字形の切り取り線でもよい。
そして、この切り取り線Ｄ〜Ｅ〜Ｄ´の全周の上には、カートン本体２のブランク２０に絵柄、表示などの印刷を行う工程で、剥離性のあるインキを用いて剥離層を設けておく。具体的には後述するが、カートン本体２に蓋部３を重ねて接着した時に、カートン本体２の開口部Ｙと蓋部３の開口部Ｘとの間のずれの領域Ｇに剥離層を設ける。しかし、誤差を考慮して１〜２ｍｍ広くした部分（図６のドットの部分）に剥離層を設けておくことが好ましい。この剥離層を設けることにより、カートン本体２に蓋部３を重ねて全面に接着剤を塗布して接着した時に、この剥離層を設けた部分では、界面剥離がし易い仮着状態となっている。ここで使用する剥離性のあるインキとしては、オフセット印刷、グラビア印刷など印刷方式に合わせてインキタイプを選定し、特に主材料は限定しない。それぞれのインキにシリコーンを添加した仕様のインキを主に使用する。
【００１９】
さらに、前面２３の開口部Ｙの直下に、蓋部３をカートン本体２に重ねて接着した時に、蓋部３の開口部Ｘの摘まみ片Ｃを再封時に差し込み易くするための凹部Ｆを設けている。この凹部Ｆは、ブランク２０を作成する打ち抜きの工程でエンボス加工を行い形成する。
【００２０】
図４は、本発明の易開封密封カートン１を形成する工程を説明する図である。まず、カートン本体２を上記ブランク２０から組み立てる。糊代片２１を後面２５の上縁部の裏面に接着剤を用いて接着し、図４−ａに示すように、角筒状に組み立て、折り畳んでスリーブ状とする。
【００２１】
つぎに、この折り畳まれたスリーブ状のカートンを通常のシールエンドカートンの包装充填機に供給し、折り畳まれたスリーブ状のカートンは、図４−ｂに示すように、四角柱状に起こされ、両側の一方の側フラップ２６、２８、側外面２７、側内面２９が折り込まれて接着され、内容物が充填された後、もう一方の側フラップ２６´、２８´、側外面２７´、側内面２９´が折り込まれて接着され、図４−ｃに示すように、本発明の易開封密封カートン１のカートン本体２は形成される。
【００２２】
つづいて、形成されたカートン本体２に、蓋部３を接着する。まず、折り返し片１１を裏側に折り、図４−ｄに示すように、開封面１２の裏面と接着する。この時、開封面１２の開口部Ｘ（摘まみ片Ｃ）の部分とは接着しないことが重要である。この部分を接着すると開口部Ｙの摘まみ片Ｃからの開封が不可能となる。使用する接着剤としては、酢酸ビニル樹脂、塩化ビニル−酢酸ビニル共重合体、エチレン−酢酸ビニル共重合体、アクリル系樹脂などのエマルジョン型の接着剤あるいはエチレン−酢酸ビニル共重合体、ナイロン系樹脂、アクリル系樹脂などのホットメルト型の接着剤を使用することができる。
【００２３】
さらに、折り返し片１１を折り返した蓋部３をカートン本体２に接着するが、蓋部３の裏側全体に接着剤を塗布し、カートン本体２と接着する。このようにして本発明の易開封密封カートン１を形成される。この場合、蓋部３の開封面１２をカートン本体２の前面２３の上部に、蓋部３の天面１３をカートン本体２の天面２２に、蓋部３の糊代片１４をカートン本体２の後面２５の上縁部に接着する。
【００２４】
また、この時に、前面２３に設けられた凹部Ｆの部分と蓋部３の折り返し片１１との間は接着されず、カートン本体２の前面２３に設けられた凹部Ｆと蓋部３の折り返し片１１との間に空間部分ができる。この空間部分に、本発明の易開封密封カートン１を開封しそして再封する時に開口部Ｘの摘まみ片Ｃを差し込むことができる。
【００２５】
図５は本発明による易開封密封カートン１の開封および再封を説明する図である。
本発明による易開封密封カートン１を開封するには、図５−ａに示すような蓋部３の開口部Ｘの摘まみ片Ｃを摘んで上方に持ち上げる、この蓋部３の開口部Ｘの摘まみ片Ｃを持ち上げると、蓋部３の開口部Ｘが開封されると同時にカートン本体２の開口部Ｙも開封される。摘まみ片Ｃをそのまま開封面の上端まで持ち上げ、さらに摘まみ片Ｃを持ち上げ続けると、図５−ｂに示すように、天面の両側の切り取り線Ａ、Ａ´、Ｄ、Ｄ´に沿って蓋部３の開口部Ｘとカートン本体２の開口部Ｙとが同時に開口する。なお折れ線ｃ、ｄが開口部Ｘ、Ｙの開閉のヒンジとして機能している。
【００２６】
つぎに、開口部Ｘ、Ｙの開封について詳しく説明する。
図６はカートン本体２と蓋部３とを重ねた状態を示す概略図である。蓋部３の開口部Ｘはカートン本体２の開口部Ｙよりやや広く、図に示すように、カートン本体２の開口部Ｙの切り取り線Ｄ〜Ｅ〜Ｄ´は蓋部３の開口部Ｘの切り取り線Ａ〜Ｂ〜Ａ´の内側に設けられている。カートン本体２の開口部Ｙは蓋部３の開口部Ｘに全体的に接着されるが、カートン本体２の開口部Ｙの切り取り線Ｄ〜Ｅ〜Ｄ´と蓋部３の開口部Ｘの切り取り線Ａ〜Ｂ〜Ａ´の間の領域Ｇ（ドットの部分）は界面剥離可能な仮着状態になっていることから、蓋部３の開口部Ｘの摘まみ片Ｃを持ち上げると、蓋部３の開封面の開口部Ｘが切り取り線Ｂから切り取られ開口すると同時に、カートン本体２の開口部Ｙの切り取り線Ｄ〜Ｅ〜Ｄ´と蓋部３の開口部Ｘの切り取り線Ａ〜Ｂ〜Ａ´の間の領域Ｇが界面剥離し、カートン本体２の前面の開口部Ｙも切り取り線Ｅから切り取られ開口する。さらに蓋部３の開口部Ｘの摘まみ片Ｃを持ち上げ続けると、蓋部２の天面の両側の切り取り線Ａ、Ａ´に沿って蓋部３の開口部Ｘが開口されるが、同時にカートン本体２の天面の両側の切り取り線Ｄ、Ｄ´に沿って開口部Ｙも開口する。初期の開封時に開口部Ｘの摘まみ片Ｃを持ち上げ、蓋部３の開封面の開口部Ｘおよびカートン本体２の前面の開口部Ｙを開口する時は、開封に力が加わり易いのに比べ、蓋部２の天面の開口部Ｘおよびカートン本体２の天面の開口部Ｙを開口する時には力が入りにくい。従って、蓋部３の天面の両側の切り取り線Ａ、Ａ´はＹ字形の切り取り線にし、カートン本体２の天面の両側の切り取り線Ｄ、Ｄ´は２重のＩ字形の切り取り線として、容易に切り取り易い形状としている。
【００２７】
このカートン本体２に設ける開口部Ｙは、蓋部３をカートン本体２に接着した時に、蓋部３の開口部Ｘとは同一の大きさではなく、全体をやや小さく設定してあり、蓋部３に設ける開口部Ｘの切り取り線Ａ〜Ｂ〜Ａ´とカートン本体２の開口部Ｙの切り取り線Ｅ〜Ｆ〜Ｅ´とをずらすことによって、内容物である粉体が切り取り線を通って漏れることを防ぐことになる。また、その大きさの差の幅の領域Ｇは界面剥離が可能な仮着状態となっているので、蓋部３の開口部Ｘが開口されると同時に容易にカートン本体２の開口部Ｙも開口される。
【００２８】
つづいて、図５−ｃで示す本発明による易開封密封カートン１を再封するには、図６の概略断面図に示すよう、開口部Ｘに設けた摘まみ片Ｃを今度は差し込み片として機能させ、カートン本体２の前面２３に設けられた凹部Ｆと蓋部３の折り返し片１１との間の空間部分に差し込めば、開口部Ｘ、Ｙを元の位置に係止させることができる。
【００２９】
【実施例】
本発明による易開封密封カートン１を家庭用の粉末洗剤に適用するべく、図１に示すようなブランクを用いて、容器のサイズが、高さ１５１ｍｍ、幅１５０ｍｍ、奥行き８０ｍｍで、内容量が１２００ｇである直方体の易開封密封カートンを試作した。また、開封面の高さは４１ｍｍとした。
材料として使用した板紙は、防湿性のある板紙であるネオサンド（本州製紙株式会社製の商品名）の坪量５０５ｇ／ｍ2 を使用した。
以上の仕様によって試作した本発明による易開封密封カートン１の開封および再封を確認したところ、老人を含む１０人のパネラーが全員摘まみ片を上方に持ち上げるだけの弱い力の操作で、容易に開封ができ、また容易に再封もできることが確認された。また、開封の時に粉末洗剤が蓋部に残ることがなく、飛散することはなかった。
【００３０】
【発明の効果】
本発明によれば、簡単な操作で容易に開封ができ、内容物に対する密封性も良く、容易に再封もでき、しかも必要最小量の坪量の板紙を使用することにより形成することができる。
また、中身の粉末が胴部に回り込むことがないため、開封時の粉末の飛散が防止でき、かつ、カートン本体の開口部の切り取り線と蓋部の開口部の切り取り線とをずらしていることによってシールエンドカートンの密封性は保持されている。
さらに、１００％が紙製であるので、使用後の廃棄処理が容易でありリサイクル性が良いといった特徴のある易開封密封カートンを得ることが出来る。
【図面の簡単な説明】
【図１】本発明による易開封密封カートンの一実施例を示す斜視図である。
【図２】本発明による易開封密封カートンの一実施例の蓋部のブランクを示す展開図である。
【図３】本発明による易開封密封カートンの一実施例のカートン本体のブランクを示す展開図である。
【図４】本発明による易開封密封カートンの一実施例の組み立て工程を説明する斜視図である。
【図５】本発明による易開封密封カートンの一実施例の開封および再封を説明する斜視図である。
【図６】本発明による易開封密封カートンの一実施例のカートン本体の開口部と蓋部の開口部とを重ねた状態を示す概略図である。
【図７】本発明による易開封密封カートンの一実施例の再封を示す概略断面図である。
【図８】従来の易開封密封カートンを示す斜視図である。
【符号の説明】
１  易開封密封カートン
２  カートン本体
３  蓋部
Ａ  切り取り線（蓋部の天面）
Ａ´切り取り線（蓋部の天面）
Ｂ  切り取り線（蓋部の開封面）
Ｃ  摘まみ片
Ｄ  切り取り線（カートン本体の天面）
Ｄ´切り取り線（カートン本体の天面）
Ｅ  切り取り線（カートン本体の前面）
Ｆ  凹部
Ｇ  カートン本体２の開口部Ｙの切り取り線Ｄ〜Ｅ〜Ｄ´と蓋部３の開口部Ｘの切り取り線Ａ〜Ｂ〜Ａ´の間の領域
１０  ブランク（蓋部）
１１  折り込み片
１２  開封面
１３  天面
１４  糊代片
２０  ブランク（カートン本体）
２１  糊代片
２２  天面
２３  前面
２４  底面
２５  後面
２６  側フラップ
２６´側フラップ
２７  側外面
２７´側外面
２８  副フラップ
２８´副フラップ
２９  側内面
２９´側内面
ａ〜ｃ  罫線（蓋部）
ｄ〜ｋ  罫線（カートン本体）
【図１】
0003935599.tif 000002
【図２】
0003935599.tif 000003
【図３】
0003935599.tif 000004
【図４】
0003935599.tif 000005
【図５】
0003935599.tif 000006
【図６】
0003935599.tif 000007
【図７】
0003935599.tif 000008
【図８】
0003935599.tif 000009